(57)【要約】【課題】広告印刷物、献立表等の各種表示内容を記載した印刷物を見易く表示でき、印刷物の取替えだけで済み使い捨てにならず経済的であり、また、車両広告表示に用いるときに、強風や走行時の風圧で捲れて脱落する虞がない表示用マグネットシートを提供する。【解決手段】表示用マグネットシートは、マグネットシート本体１１と、不透明なバックフィルム１２と、透明なポケット形成フィルム１３と、が順に重ねられ、マグネットシート本体１１とバックフィルム１２とは、全面又は全周が固着され、バックフィルム１２とポケット形成フィルム１３とは、２辺又は３辺が溶着され残りの未溶着の２辺又は１辺が印刷物Ｐを収容するための開口になっていてかつバックフィルム１２とポケット形成フィルム１３との間が印刷物Ｐを収容するポケット空間となっている。【選択図】図１
0003157782.tif 000002
【実用新案登録請求の範囲】
【請求項１】
マグネットシート本体と不透明なバックフィルムと透明なポケット形成フィルムとが順に重ねられ、
マグネットシート本体とバックフィルムとは、全面又は全周が固着され、
バックフィルムとポケット形成フィルムとは、２辺又は３辺が溶着され残りの未溶着の２辺又は１辺が印刷物を収容するための開口になっていてかつ該バックフィルムと該ポケット形成フィルムとの間が印刷物を収容するポケット空間となっている、表示用マグネットシート。
【請求項２】
前記バックフィルムと前記ポケット形成フィルムとは、各重ね面が非転写性表面を有している、請求項１に記載の表示用マグネットシート。
【請求項３】
前記ポケット形成用シートの表面は梨地表面である、請求項１又は２に記載の表示用マグネットシート。
【請求項４】
前記開口に、該開口を開閉するファスナを備えている、請求項１乃至３のいずれかに記載の表示用マグネットシート。
【請求項５】
前記マグネットシート本体の少なくとも１辺に、該マグネットシート本体が捲り上がるのを抑止する押え付け用マグネットを備えている、請求項１乃至４のいずれかに記載の表示用マグネットシート。
【請求項６】
前記押え付け用マグネットは、前記マグネットシート本体の少なくとも１辺に、ポケット形成フィルムの延長部によって保持されている、請求項５に記載の表示用マグネットシート。
【考案の詳細な説明】
【技術分野】
【０００１】
本考案は、広告表示やメモ表示などに利用される表示用マグネットシートに関する。
【背景技術】
【０００２】
表示用マグネットシートは、マグネットシート本体とマグネットシート本体に積層された白色の塩化ビニールシート等の表示シートと、表示シートに形成された印刷層とからなる。印刷層は、シルク印刷により形成され、マグネットシート本体と表示シートを積層した後に形成される場合と、積層前に形成される場合とがある。
【０００３】
表示用マグネットシートは、自動車の鉄板製の外側面に貼着され、「防犯パトロール実施中」、「交通安全実施中」の表示や運転用の初心者マーク、広告宣伝などに利用されている。また、表示用マグネットシートは、オフィスや家庭内でも長期にわたる内容表示に利用されている。
【０００４】
表示用マグネットシートは、自動車の鉄板製の外側面に貼着される磁力を保持するために、厚さが０．６ｍｍ位必要である。しかしながら、この厚さの表示用マグネットシートは、自動車の鉄板製の外側面に貼着された状態では強風で剥がれ吹き飛ばされる虞がある。そこで、自動車の鉄板製の外側面に貼着された状態の表示用マグネットシートが強風でも剥がれ吹き飛ばされないようにするためには、表示用マグネットシートにより強い磁力を保有させるために、０．８ｍｍ〜１．０ｍｍの厚さを必要としている。
【０００５】
特許文献１に記載された表示用マグネットシートは、磁気吸着面部（マグネットシート本体）の１辺の磁気吸着面側に折り返し部が設けられ、磁気吸着面部の表面に貼着された紙又は合成樹脂フィルムの表示面部とからなり、折り返し部を車両の扉の裏側に引っ掛けて装着することで、強風や走行時の風圧が作用しても脱落しない。この表示用マグネットシートは、０．６ｍｍの厚さで足りる。
【０００６】
特許文献２に記載された表示用マグネットシートは、一般家庭あるいはオフィス等において、複写機、プリンタ、プロッタ等の印刷機により絵、文字、図形、写真等の所望のコンテンツを印刷するものとして提案され、厚さ０．０５〜０．１５ｍｍのマグネットシート本体と、厚さ０．０５〜０．１５ｍｍの印刷シートとを積層してなり、マグネットシート本体は、合成樹脂材に磁性粉を混入しこれをシート状に形成しその一方面にＮ極とＳ極を交互に多極着磁してなり、印刷シートは、上質紙、コート紙等の紙、合成紙又は合成樹脂フィルムからなる。
【先行技術文献】
【特許文献】
【０００７】
【特許文献１】特開２０００−０４７６２２号公報
【特許文献２】特開平１０−０２４５３４号公報
【考案の概要】
【考案が解決しようとする課題】
【０００８】
ところで、上述した一定の大きさに切断する０．６ｍｍ〜１．０ｍｍの表示用マグネットシート及び特許文献１に記載された車両広告・表示用マグネットシートは、厚いので、一般家庭あるいはオフィス等において、複写機、プリンタ、プロッタ等の印刷機により絵、文字、図形、写真等の所望のコンテンツを印刷することができない。この厚さの表示用マグネットシートへの印刷はシルク印刷が適用される。この種の表示用マグネットシートは、売れ筋の表示内容が予め印刷されたものが販売されるか、表示内容について顧客の注文を受け付けて印刷しているところもあるが、いずれにしても印刷代が掛かり、トータルコストが高く付いている。
【０００９】
特許文献２に記載された表示用マグネットシートは、マグネットシート本体の厚さが、厚くなり過ぎると一般家庭やオフィス等における印刷機で印刷できなくなるため０．０５〜０．１５ｍｍと厚さが規定されている。この厚さのマグネットシート本体では、市場に出回っている磁石シートの数分の１という薄さであり、薄くなり過ぎて磁着力と強度を保つことが難しく、自動車の外側面に貼り付けたときに風で容易に剥がれてしまう、という問題点があり、実用化できない。
【００１０】
さらに、従来のいずれの表示用マグネットシートも、新しい広告宣伝を行う場合、既に広告表示している表示用マグネットシートを取り外し、新しい広告を印刷した表示用マグネットシートを磁気吸着する。使用済みの表示用マグネットシートは、廃棄処分にするので、頻繁に広告表示を変えると大変不経済になり、環境に優しくない。
【００１１】
他方、事務所において家庭の台所において、献立表を記載した印刷物や予定表、メモなどや記録した紙をマグネットで冷蔵庫等の外面に貼り付けて見ている例が多いが、折線が入った印刷物等は、平面保持ができにくく、貼り付けが乱雑に見えていた。
【００１２】
本考案は、上述した点に鑑み案出されたもので、広告印刷物、献立表を記載した印刷物や予定表、メモなどや記録した紙を見易く収容表示できて使い捨てにならず経済的であり、また車両広告表示に用いるときに、強風や走行時の風圧が作用しても端縁から捲れて脱落する虞がない、表示用マグネットシートを提供することを目的としている。
【課題を解決するための手段】
【００１３】
上記目的を達成するために、本考案の表示用マグネットシートは、マグネットシート本体と、不透明なバックフィルムと、透明なポケット形成フィルムと、が順に重ねられ、マグネットシート本体とバックフィルムとは、全面又は全周が固着され、バックフィルムとポケット形成フィルムとは、２辺又は３辺が溶着され残りの未溶着の２辺又は１辺が印刷物を収容するための開口になっていてかつ該バックフィルムと該ポケット形成フィルムとの間が印刷物を収容するポケット空間となっていることを特徴とする。
【００１４】
上記構成の表示用マグネットシートにおいて、バックフィルムとポケット形成フィルムとは、各重ね面が非転写性表面を有していることが望ましく、また、ポケット形成用シートの表面が梨地表面（つや消し）であることが望ましく、また上記構成の表示用マグネットシートは、開口に、該開口を開閉するファスナを備えていることが望ましい。さらに、上記構成の表示用マグネットシートは、マグネットシート本体の２辺又は３辺に、該マグネットシート本体が風で捲り上がるのを抑止する磁力補強マグネットを備えていることが望ましい。さらに、押え付け用マグネットは、マグネットシート本体の少なくとも１辺に、ポケット形成フィルムの延長部によって保持されていることが望ましい。
【考案の効果】
【００１５】
本考案によれば、広告印刷物、献立表を記載した印刷物や予定表、メモなどや記録した紙を見易く表示できて、車両広告表示、オフィスにおける掲示板への展示、家庭での簡易で綺麗な展示に利用でき、印刷物の取替えだけで済み使い捨てにならず経済的であり、また、車両広告表示に用いるときに、強風や走行時の風圧が作用しても、或いは、長期の使用によっても端縁から捲れて脱落する虞がない、表示用マグネットシートを提供することができる。
【図面の簡単な説明】
【００１６】
【図１】（ａ）は第１実施形態に係る表示用マグネットシートの正面図、（ｂ）は（ａ）におけるIb−Ib断面図、（ｃ）は（ａ）におけるIc−Ic断面図である。
【図２】（ａ）は第２実施形態に係る表示用マグネットシートの正面図、（ｂ）は（ａ）におけるIIb−IIb断面図である。
【図３】（ａ）は第３実施形態に係る表示用マグネットシートの正面図である。
【図４】（ａ）は第４実施形態に係る表示用マグネットシートの正面図、（ｂ）は（ａ）におけるIVb−IVb断面図である。
【図５】（ａ）は第５実施形態に係る表示用マグネットシートの正面図、（ｂ）は（ａ）におけるVb−Vb断面図である。
【考案を実施するための形態】
【００１７】
以下、本考案の実施形態に係る表示用マグネットシートについて図面を参照して説明する。
〔第１実施形態〕
図１は、第１実施形態に係る表示用マグネットシートを示す。この表示用マグネットシート１０は、マグネットシート本体１１と、不透明・無模様一色・非転写性表面を有するバックフィルム１２と、透明・梨地表面（つや消し）・非転写性表面を有するポケット形成フィルム１３と、が順に重ねられ、マグネットシート本体１１とバックフィルム１２とは全面接着され、バックフィルム１２とポケット形成フィルム１３とがポケットを形成するように３辺端縁が高周波溶着され（図１（ｂ）の符号ｗ１の部分）、バックフィルム１２とポケット形成フィルム１３の開口部内面にファスナ１４を固着されてなる（図１（ｃ）の符号ｗ２，ｗ３の部分）。
【００１８】
この実施形態では、表示用マグネットシート１０は、例えばＡ４サイズの印刷物（プロッタ、複写機、プリンタ等の印刷機により絵、文字、図形、写真等の所望のコンテンツを印刷された紙）Ｐを収容できる大きさの矩形に設けられている。ただし、大きさ及び矩形に限定する趣旨ではない。
【００１９】
マグネットシート本体１１は、シート成形機で合成樹脂材に磁性粉を混入攪拌しシート状に成形してシート物とし、該シート物の一方の面を着磁されてなる。マグネットシート本体１１は、用途により厚さを変えることが経済的で好ましく、自動車の鉄板製の外部側面に貼着して広告宣伝のために使用される場合には、風に飛ばされない磁力を保有する厚さ０．８〜１．０ｍｍのものを選択し、その他の使用では、厚さ０．３〜０．６ｍｍのものを選択するのが好ましい。なお、マグネットシート本体１１の着磁面には、移行防止剤がコーティングされているのが好ましい。
【００２０】
バックフィルム１２について、透明・無模様一色とは、透明な白色ないし乳白色が好ましいが、地色が印刷物の表面に現れ難い淡白な色であることが好ましい。
【００２１】
ポケット形成フィルム１３は、耐久性・耐候性・耐水性を有し透明性が高く、軟らかい樹脂フィルム、具体的には可塑剤が入っていて軟らかい塩化ビニルを選択することが好ましい。バックフィルム１２は、耐久性・耐候性・耐水性を有し、ポケット形成フィルム１３と高周波溶着される樹脂フィルム、具体的にはポケット形成フィルム１３と同じ軟らかい塩化ビニルを選択することが好ましい。
【００２２】
ファスナ１４は、雄型ファスナと雌型ファスナとを有してなり、一方のファスナがバックフィルム１２の内面端縁に接着され、他方のファスナがポケット形成フィルム１３の内面端縁に接着されている。
【００２３】
この実施形態の表示用マグネットシート１０によれば、ファスナ１４を開き、この開口を通してバックフィルム１２とポケット形成フィルム１３との間のポケット空間に、広告印刷物、献立表を記載した印刷物や予定表、メモなどや記録した紙を差し入れ、ファスナ１４を閉じて、鉄板製の被着面に貼着され広告宣伝やオフィスや家庭内でも長期にわたる内容表示に利用される。なお、必要に応じて、マグネットシート本体１１とバックフィルム１２の、ポケット空間の端部にエア抜き若しくは水抜き用の小孔を設けても良い。
【００２４】
この実施形態の表示用マグネットシート１０によれば、不透明・無模様一色・非転写性表面を有するバックフィルム１２を採用し、また透明・非転写性表面を有するポケット形成フィルム１３を採用し、ファスナ１４を採用しているので、印刷物のインクがバックフィルム１２とポケット形成フィルム１３の内面に転写しない。また、塵埃が侵入しないから、印刷物の差し替えを何度おこなっても印刷物の表示を裏刷り印刷したように長期間にわたりクリアに表示できる。さらに梨地表面（つや消し）を有するポケット形成フィルム１３を採用しているから、ポケット形成フィルム１３に太陽光が当っても防眩機能を発揮し、太陽光の反射を抑制されるからクリアに表示できる。この実施形態の表示用マグネットシート１０によれば、広告印刷物、献立表を記載した印刷物や予定表、メモなどや記録した紙を見易く表示できて、印刷物の取替えだけで済み、使い捨てにならず経済的である。
〔第２実施形態〕
図２は、第２実施形態に係る表示用マグネットシートを示す。この表示用マグネットシート１０Ａは、図１に示す表示用マグネットシート１０と同一構成部分を有し、さらに同一構成部分の３辺を押え付ける押え付け用マグネット１５を有してなる。従って、図１に示す表示用マグネットシート１０と同一構成部分については、同一符号を付して、構成・作用・効果の説明は省略する。なお、全体を示す符号１０は用いていない。押え付け用マグネット１５は、ポケット形成フィルム１３の、ファスナ１４を外した３辺を押え付ける樹脂製枠体１５ａと、樹脂製枠体１５ａの３辺の内面側に接着された３つの帯板状のプラスチックマグネットである押え付け用マグネット本体１５ｂとからなる。３つの押え付け用マグネット本体１５ｂの内輪郭の端面は、マグネットシート本体１１の端面に密着しマグネットシート本体１１を位置規制している。樹脂製枠体１５ａは、ポケット形成フィルム１３の３辺を押え付ける部分の厚み寸法が押え付け用マグネット本体１５ｂに重なる部分の厚み寸法よりも大きい。これによりポケット形成フィルム１３の３辺を押え付ける力を有している。樹脂製枠体１５ａの、ポケット形成フィルム１３の３辺を押え付ける部分の面は、断面鋸刃状に形成することが好ましい。なお、押え付け用マグネット１５は、Ｌ字に形成され、ポケット形成フィルム１３の上辺と進行方向前側の辺を押さえる構成であっても良い。
【００２５】
上記構成の表示用マグネットシート１０Ａによれば、マグネットシート本体１１の２辺又は３辺に、該マグネットシート本体１１が風で捲り上がるのを抑止する押え付け用マグネット１５を備えているので、マグネットシート本体１１を０．６ｍｍのものを選択して構成し、車両広告表示に用いたときに、強風や走行時の風圧が作用しても端縁から捲れて脱落する虞がない。押え付け用マグネット１５を付加して構成されるが、マグネットシート本体１１を０．６ｍｍのものを選択できるから、コストを安く抑えられる。
〔第３実施形態〕
図３は、第３実施形態に係る表示用マグネットシートを示す。この表示用マグネットシート１０Ｂは、図１に示す表示用マグネットシート１０と同一構成部分を有し、さらに車両広告表示に用いたときに、進行方向前側端縁と後側端縁の２辺をポケット内より押え付けるプラスチックマグネットである押え付け用マグネット１６ａ，１６ｂを有してなる。図１に示す表示用マグネットシート１０と同一構成部分については、同一符号を付して、構成・作用・効果の説明は省略する。なお、全体を示す符号１０は用いていない。
【００２６】
上記構成の表示用マグネットシート１０Ｂによれば、車両広告表示に用いたときに、進行方向前側端縁と後側端縁の２辺をポケット内より押え付ける押え付け用マグネット１６ａ，１６ｂを備えているので、マグネットシート本体１１を０．６ｍｍのものを選択して構成し、車両広告表示に用いたときに、強風や走行時の風圧が作用しても端縁から捲れて脱落する虞がない。押え付け用マグネット１６ａ，１６ｂを付加して構成されるが、マグネットシート本体１１を０．６ｍｍのものを選択できるから、コストを安く抑えることができる。
〔第４実施形態〕
図４は、第４実施形態に係る表示用マグネットシートを示す。この表示用マグネットシート１０Ｃは、車両広告表示に用いるもので、図１に示す表示用マグネットシート１０と同一構成部分を有し、さらに進行方向前側端縁に第２ポケット１７を有し、第２ポケット１７に厚くて磁力が強い帯板状の押え付け用マグネット（プラスチックマグネット）１８を収容してなる。
【００２７】
押え付け用マグネット１８は、マグネットシート本体の１辺に、ポケット形成フィルムの延長部によって保持されている。この実施形態では、ポケット１７が、ポケット形成フィルム１３Ｃをマグネットシート本体１１よりも延長させて折り返して高周波溶着部ｗ１，ｗ４，ｗ５，ｗ６を設けることで形成され、プラスチックマグネット１８がポケット１７の入口より収容されている。なお、ポケット１７の入口は、高周波溶着により閉じるのが好ましい。この表示用マグネットシート１０Ｃについて、図１に示す表示用マグネットシート１０と同一構成部分については、同一符号を付して、構成・作用・効果の説明は省略する。なお、全体を示す符号１０は用いていない。
【００２８】
上記構成の表示用マグネットシート１０Ｃによれば、磁力が強い帯板状のプラスチックマグネット（押え付け用マグネット）１８を進行方向前側となるように車両に磁力吸引させて車両広告表示に用いることで、強風や走行時の風圧が作用しても端縁から捲れて脱落する虞がない。
〔第５実施形態〕
図５は、第５実施形態に係る表示用マグネットシートを示す。この表示用マグネットシート１０Ｄは、車両広告表示に用いるもので、図４に示す表示用マグネットシート１０Ｃと同様に、図１に示す表示用マグネットシート１０と同一構成部分を有し、さらに進行方向前側端縁に厚くて磁力が強い帯板状の押え付け用マグネット（プラスチックマグネット）１８を備えてなる。押え付け用マグネット１８は、マグネットシート本体の１辺に、ポケット形成フィルムの延長部によって保持されている。この実施形態に係る表示用マグネットシート１０Ｄは、第４実施形態の表示用マグネットシート１０Ｃとは異なり、第２ポケットは無く、ポケット形成フィルム１３Ｄをマグネットシート本体１１よりも延長させて、プラスチックマグネット１８の上面に全面接着された溶着確保用の白色のフィルム（軟性塩化ビニル）１９に重ね、周囲を高周波溶着部ｗ７で溶着してなる。この表示用マグネットシート１０Ｄについて、図１に示す表示用マグネットシート１０と同一構成部分については、同一符号を付して、構成・作用・効果の説明は省略する。なお、全体を示す符号１０は用いていない。
【００２９】
上記構成の表示用マグネットシート１０Ｄによれば、磁力が強い帯板状のプラスチックマグネット（押え付け用マグネット）１８を進行方向前側となるように車両に磁力吸引させて車両広告表示に用いることで、強風や走行時の風圧が作用しても端縁から捲れて脱落する虞がない。
〔その他の実施形態〕
本考案は、上記の実施形態に限定されるものでなく、実用新案登録請求の範囲の技術的範囲には、考案の要旨を逸脱しない範囲内で種々、設計変更した形態が含まれるものである。
【００３０】
バックフィルム１２とポケット形成フィルム１３は、隣り合う２辺の端縁同士を互いに固着され、残りの２辺を固着せず印刷物Ｐを収容するための開口としてもよい。すなわち、ポケットは対向位置に開口を２つ備えかつ各開口にファスナを備えていても良いし、隣り合う２辺をＬ形に開くように開口を備えかつＬ形に開くファスナを備えていても良い。
【００３１】
マグネットシート本体１１とバックフィルム１２とは、全面固着でなく全周固着であっても良い。マグネットシート本体１１とバックフィルム１２との固着は、粘着または溶着であっても良い。バックフィルム１２とポケット形成フィルム１３の固着は、必要な固着力が得られれば、高周波溶着ではなく、ヒートシール溶着又は接着であっても良い。ファスナのバックフィルムとポケット形成フィルムの開口部内面への固着は、接着又は溶着であって良い。
【００３２】
押え付け用マグネットは、マグネットシート本体の少なくとも１辺に、マグネットシート本体が風で捲り上がるのを抑止するように備えていればよい。
【符号の説明】
【００３３】
１０，１０Ａ，１０Ｂ…表示用マグネットシート、
１１…マグネットシート本体、
１２…バックフィルム、
１３…ポケット形成フィルム、
１４…ファスナ、
１５，１６ａ，１６ｂ，１８…押え付け用マグネット、
Ｐ…印刷物
【図１】
0003157782.tif 000003
【図２】
0003157782.tif 000004
【図３】
0003157782.tif 000005
【図４】
0003157782.tif 000006
【図５】
0003157782.tif 000007
【手続補正書】
【提出日】平成21年12月22日(2009.12.22)
【手続補正１】
【補正対象書類名】実用新案登録請求の範囲
【補正対象項目名】請求項３
【補正方法】変更
【補正の内容】
【請求項３】
前記ポケット形成フィルムの表面は梨地表面である、請求項１又は２に記載の表示用マグネットシート。